(57)【要約】【課題】まぐさを配置したテラス窓や欄間付き窓の開口部を簡単に補強することができる補強枠を提供する。【解決手段】本発明にかかる補強枠１は、テラス窓の開口部３を補強するものであって、枠１７と、補強材２９ａ〜２９ｄで補強した袖枠部１９とを備え、枠１７は、左右の縦枠２１ａ、２１ｂと上枠２３と下枠２５で四周を枠組みした状態で、まぐさ５と、窓台７と、左右の柱９、９間で区画される開口部３に、室内側から挿入して固定してあり、袖枠部１９は枠１７の内周で縦枠２１ａ、２１ｂ側に設けてあり且つ上枠２３と下枠２５間に配置した縦骨２７を有する。【選択図】図１
2015224523.tif 000002
【特許請求の範囲】
【請求項１】
テラス窓の開口部を補強するものであって、枠と、補強材で補強した袖枠部とを備え、枠は、左右の縦枠と上枠と下枠で四周を枠組みした状態で、まぐさと、窓台と、左右の柱間で区画される開口部に、室内側から挿入して固定してあり、袖枠部は枠の内周で縦枠側に設けてあり且つ上枠と下枠間に配置した縦骨を有することを特徴とする補強枠。
【請求項２】
欄間付き窓の開口部を補強するものであって、枠と、補強材で補強した垂れ枠部とを備え、枠は、左右の縦枠と上枠との少なくとも三方を枠組みした状態で、まぐさと、窓台と、左右の柱間で区画される開口部に、室内側から挿入して固定してあり、垂れ枠部は、上枠の下側に設けていることを特徴とする補強枠。
【発明の詳細な説明】
【技術分野】
【０００１】
本発明は、まぐさを有するテラス窓の開口部や欄間付き窓の開口部を補強する補強枠に関する。
【背景技術】
【０００２】
特許文献１には、まぐさを配置した開口部に補強枠を設けることが開示されている。この補強枠では、左右の縦枠を各々まぐさに設けた切除部に挿通して配置し、上端部を胴差に固定し、下端部を土台に固定することが開示されている。
一方、近年、住宅のリフォームで簡単にテラス窓や欄間付き窓の開口部を補強したいという要求がある。
【先行技術文献】
【特許文献】
【０００３】
【特許文献１】特許第３８８８２７０号公報
【発明の概要】
【発明が解決しようとする課題】
【０００４】
しかし、特許文献１の補強枠をリフォームに採用しようとすると、天井を撤去したり、まぐさの加工等が必要になり、大掛りな工事となってしまう為、実施が困難になるという問題があった。
【０００５】
そこで、本発明は、まぐさを配置したテラス窓や欄間付き窓の開口部を簡単に補強することができる補強枠の提供を目的とする。
【課題を解決するための手段】
【０００６】
請求項１に記載の発明は、テラス窓の開口部を補強するものであって、枠と、補強材で補強した袖枠部とを備え、枠は、左右の縦枠と上枠と下枠で四周を枠組みした状態で、まぐさと、窓台と、左右の柱間で区画される開口部に、室内側から挿入して固定してあり、袖枠部は枠の内周で縦枠側に設けてあり且つ上枠と下枠間に配置した縦骨を有することを特徴とする補強枠である。
【０００７】
請求項２に記載の発明は、欄間付き窓の開口部を補強するものであって、枠と、補強材で補強した垂れ枠部とを備え、枠は、左右の縦枠と上枠との少なくとも三方を枠組みした状態で、まぐさと、窓台と、左右の柱間で区画される開口部に、室内側から挿入して固定してあり、垂れ枠部は、上枠の下側に設けていることを特徴とする補強枠である。
【発明の効果】
【０００８】
請求項１に記載の発明によれば、枠は、枠組みした状態で、まぐさと、窓台と、左右の柱間で区画される開口部に、室内側から挿入して固定しているので、室内側からの作業で且つ簡単にテラス窓の開口部を補強できる。また、天井の撤去やまぐさの加工等が不要なので、大掛りな工事にならないで済む。
袖枠部は縦枠側に設けているので枠内の袖枠部を除く部分に空間を形成でき、この空間を出入り口や窓等として利用することができる。
【０００９】
請求項２に記載の発明によれば、枠は、枠組みした状態で、まぐさと、窓台と、左右の柱間で区画される開口部に、室内側から挿入して固定しているので、室内側からの作業で且つ簡単に欄間付き窓の開口部を補強できる。また、天井の撤去やまぐさの加工等が不要なので、大掛りな工事にならないで済む。
【図面の簡単な説明】
【００１０】
【図１】本発明の第１実施の形態にかかる補強枠を施工したテラス窓の開口部を室内側から見た正面図である。
【図２】図１に示すＡ−Ａ断面図である。
【図３】（ａ）は図１に示すＢ−Ｂ断面図であり、（ｂ）は（ａ）に示す窓台側の構成を示す斜視図である。
【図４】（ａ）は図１に示すＣ−Ｃ断面図であり、（ｂ）は（ａ）に示すブレース取付ブラケットの縦骨への取付けを示す分解斜視図であり、（ｃ）はブレースの断面図である。
【図５】（ａ）は縦骨を上枠と下枠とに接合した部分を室内側から見た正面図であり、（ｂ）は（ａ）に示す部分を左側から見た縦断面図であり、（ｃ）は下枠と縦骨との接合部分を示す分解斜視図である。尚、（ａ）（ｂ）において、一点鎖線で抜き出して示すのは縦骨の横断面図である。
【図６】本発明の第２実施の形態にかかる補強枠を施工した欄間付き窓の開口部を室内側から見た正面図である。
【図７】図６に示すＥ−Ｅ断面図である。
【図８】図６に示すＦ−Ｆ断面図である。
【図９】縦枠と横骨との接合部分を示す分解斜視図である。
【図１０】縦骨と横骨との接合部分を示す分解斜視図である。
【図１１】本発明の第３実施の形態にかかる補強枠を施工した欄間付き窓の開口部を室内側から見た正面図である。
【図１２】本発明の第１実施の形態の変形例であって、補強枠を施工したテラス窓開口部を室内側から見た正面図である。
【図１３】本発明の第１実施の形態の他の変形例であって、補強枠を施工したテラス窓開口部を室内側から見た正面図である。
【図１４】本発明の第１実施の形態の他の変形例であって、テラス窓の開口部を図２と同じ位置で切断して示す断面図である。
【発明を実施するための形態】
【００１１】
以下に、添付図面を参照して本発明の実施の形態を説明するが、まず、図１〜図５を参照して本発明の第１実施の形態について説明する。
図１に示すように、第１実施の形態にかかる補強枠１は、テラス窓の開口部３を補強するものである。尚、図１において、二点鎖線で示しているのは、室内側テラス窓１０（図２参照）の障子１２であり、本実施の形態では、室内側テラス窓１０は２本引き４枚建である。
テラス窓の開口部３は、まぐさ５と、窓台７と、左右の柱９、９間で区画されている。柱９、９は、上端部を梁１１に固定してあり、下端部は土台１３に固定してあり、まぐさ５は左右の柱９、９間に固定してあり、窓台７は土台１３の上で左右の柱９、９間に固定してある。まぐさ５と梁１１との間には束１５が設けてある。
補強枠１は、枠１７と左右の袖枠部１９とを備えている。
枠１７は、左右の縦枠２１ａ、２１ｂと上枠２３と下枠２５で四周を枠組みした状態で、まぐさ５と、窓台７と、左右の柱９、９間で区画される開口部３に、室内側から挿入して固定してある。
【００１２】
袖枠部１９は左縦枠２１ａと右縦枠２１ｂの内周側に設けてあり、縦骨２７と補強材２９ａ〜２９ｄとを備えている。補強材２９ａ〜２９ｄは、ブレースである。尚、左右の袖枠部１９は各々同じ構成であるから、以下の説明では左袖枠部１９について説明し、右袖枠部１９の説明を省略する。
各袖枠部１９には、左縦枠２１ａと対向する縦骨２７との間における上枠２３の中間位置に上ブレース取付ブラケット３１ａを、左縦枠２１ａと対向する縦骨２７との間における下枠２３の中間位置に下ブレース取付ブラケット３１ｂを、左縦枠２１ａの中間位置に縦枠側ブレース取付ブラケット３１ｃを、縦骨２７の中間位置に縦骨側ブレース取付ブラケット３１ｄが取付けてある。
上ブレース取付ブラケット３１ａと縦枠側ブレース取付ブラケット３１ｃとの間には縦枠側上ブレース２９ａが固定してあり、上ブレース取付ブラケット３１ａと縦骨側ブレース取付ブラケット３１ｄとの間には縦骨側上ブレース２９ｂが固定してあり、縦枠側ブレース取付ブラケット３１ｃと下ブレース取付ブラケット３１ｂとの間には縦枠側下ブレース２９ｃが固定してあり、縦骨側ブレース取付ブラケット３１ｄと下ブレース取付ブラケット３１ｂとの間には縦骨側下ブレース２９ｄが固定してある。
【００１３】
各ブレース取付ブラケット３１ａ〜３１ｄは同じ構成であり、図４に示すように、板状の基板３２と、基板３２から内周側に突設したリブ３４を有し、基板３２とリブ３４とで断面略Ｔ字形状を成している。各ブレース２９ａ〜２９ｄは、図４（ｃ）に示すように、横断面において室内側空間部３０ａと室外側空間部３０ｂと、これらの空間部３０ａ及び３０ｂとの間の中間に空間３０ｃが形成してあり、図４（ａ）に示すように、中央の空間３０ｃにブレース取付ブラケット３１ａ〜３１ｄのリブ３４を挿通して、室内外方向から止めるボルト３７とナット３９で固定してある。尚、各ブレース２９ａ〜２９ｄにはその端部における室内側面と室内側面とにボルト３７及びナット３９を挿通する孔が形成してある。
【００１４】
図２に示すように、上枠２３は内周側から止めるねじ３３でまぐさ５に固定してある。また、上枠２３には、下面の室内側と室外側とにボルト係合溝３５が上枠２３の長手方向に亘って形成してあり、同様に下枠２５にも上面の室内側と室外側とにボルト係合溝３５が下枠２５の長手方向に亘って形成してある。上枠２３にはまぐさ５の室内側見付け面に重なる補助部２３ａが形成されている。この補助部２３ａには化粧材２４が装着されている。
図４に示すように、左縦枠２１ａにも内周側面の室内側と室外側とにボルト係合溝３５が縦枠２１ａの長手方向に亘って形成してある。右縦枠２１ｂも左縦枠２１ａと同一の構成としてある。
図５に示すように、縦骨２７にも対向する縦枠２１ａ、２１ｂ側面の室内側と室外側とに２列でボルト係合溝３５が縦骨２７の長手方向に亘って形成してある。
図４に示すように、縦枠側ブレース取付ブラケット３１ｃは左縦枠２１ａのボルト係合溝３５に頭を係合したボルト４１と内周側からボルト４１の軸に螺合するナット４３とで左縦枠２１ａに取付けてある。
【００１５】
図５（ａ）（ｂ）（ｃ）に示すように、縦骨２７は中空形材であり、上端部２７ａを上枠２３に取付けた上縦骨取付ブラケット４５に固定してあり、下端部２７ｂを下縦骨取付ブラケット４７に固定してある。上縦骨取付ブラケット４５と下縦骨取付ブラケット４７とは同種の部材であり、上枠２３又は下枠２５に配置する基板４９と、基板４９から内周側に突設するリブ５１とを備え、上縦骨取付ブラケット４５はリブ５１を縦骨２７の上端部２７ａの中空内に収納してねじ５３で固定してあり、下縦骨取付ブラケット４７はリブ５１を縦骨２７の下端部２７ｂの中空内に収納してねじ５３で固定してある。
各上縦骨取付ブラケット４５と下縦骨取付ブラケット４７とは、対応する各上枠２３又は下枠２５のボルト係合溝３５に頭を係合したボルト４１とナット４３で上枠２３又は下枠２５に取付けてあり、更にねじ３８で対応する上枠２３又は下枠２５に各々固定されている。尚、下縦骨取付ブラケット４７を固定するねじ３８は、土台１３まで届く長いねじであってもかまわない。
【００１６】
図１及び図３に示すように、下枠２５において、各縦骨２７を挟む位置では、窓台７が窓台固定ボルト５５で土台１３に固定してある。
窓台７と土台１３との間には補強材５７を挿入してあり、窓台７の上面には座ぐり７ａが形成してあり、窓台固定ボルト５５は補強材５７を貫通して土台１３に固定している。尚、図１に示すように、土台１３はアンカーボルト５９で基礎６０に固定してある。
図２に示すように、テラス窓の開口部３の室内側には室内側テラス窓１０が設けてあり、室外側には室外側テラス窓１４が設けてある。室内側テラス窓１０の上枠６４は補強枠１の上枠２３にねじ６５で固定してあり、図４（ａ）に示すように、室内側テラス窓１０の左右の縦枠６７も補強枠１の縦枠２１ａ、２１ｂに各々ねじ６５で固定してある。図２に示すように、室外側テラス窓１４の障子も室内側テラス窓１０と同様に、２本引き４枚建である。
室内側テラス窓１０の障子パネル６９は複層ガラスであり、室外側テラス窓１４の障子パネル７１は単板ガラスとしてある。
尚、上述した各枠材２１ａ、２１ｂ、２３、２５、縦骨２７及びブレース２９ａ〜２９ｄはアルミニウム合金形材である。
【００１７】
次に、補強枠１の組み立て及び施工について説明する。
補強枠１は、予め工場等で組み立てるものであって、初めに袖枠部１９を組み立てる。即ち、図５に示すように、下枠２５にはボルト係合溝３５にボルト４１の頭を係合し、ボルト係合溝３５にボルト４１をスライドして所定位置で下縦骨ブラケット４７を止め、下縦骨取付ブラケット４７のリブ５１には縦骨２７の下端部２７ｂを挿入してねじ５３を締め付けて、縦骨２７の下端部２７ｂを下縦骨取付ブラケット４７に固定する。
同様に、縦骨２７の上端部２７ｂでも、上枠２３のボルト係合溝３５に頭を係合したボルト４１で縦骨２７の上端部２７ｂを固定した上縦骨取付ブラケット４５を止める。
また、各ブレース取付ブラケット３１ａ〜３１ｄは、位置を調整した後、ねじ３８で対応する左右の縦枠２１ａ、２１ｂ、上枠２３、下枠２５に各々固定する。
【００１８】
次に、図４（ｂ）に示すように、左縦枠２１ａの各ボルト係合溝３５には、ボルト４１の頭を係合して縦枠側ブレース取付ブラケット３１ｃがボルト４１とナット４３で所定位置に止め、図４（ａ）に示すように、縦枠側ブレース取付ブラケット３１ｃのリブ３４に縦枠側上ブレース２９ａの下端部と縦枠側下ブレース２９ｃの上端部とをボルト３７とナット３９で取付ける。同様に、縦骨２７、上枠２３、下枠２５にも、各々対応するブレース取付ブラケット３１ａ、３１ｂ、３１ｄをボルト４１及びナット４３で止めると共に、各ブレース取付ブラケット３１ａ、３１ｂ、３１ｄに各々対応するブレース２９ａ〜２９ｄの端部を取り付ける。
【００１９】
住宅のリフォーム時には、室外側テラス窓１４を取り付けた状態のままで、まず、図３に示すように、窓台７に座ぐり７ａを形成して、土台１３との間に補強材５７を挿入して、窓台固定ボルト５５で窓台７を、補強材５７を介して土台１３に固定しておき、その後、工場で組み立てられた補強枠１を、まぐさ５と、窓台７と、左右の柱９、９間で区画される開口部３に、室内側から挿入して、図２及び図４に示すように、上枠２３をまぐさ５に、下枠２５を土台７に、左右の縦枠２１ａ、２１ｂを対応する柱９に各々ねじ３３で固定する。
このようにして補強枠１を開口部に施工した後、補強枠１の室内側に断熱強化のための室内側テラス窓１０を取り付けるが、図２及び図４に示すように、室内側テラス窓１０の上枠６４及び左右の縦枠６７はねじ６５で対応する補強枠１の上枠２３及び左右の縦枠２１ａ、２１ｂに固定する。
尚、図２に示すように、補強枠１の上枠２３で室内側に設けた補助部２３ａには、化粧材２４を嵌合する。
【００２０】
次に、第１実施の形態にかかる補強枠１の作用効果について説明する。
図１、図２及び図４（ａ）に示すように、本実施の形態にかかる補強枠１によれば、枠１７は、枠組みした状態で、まぐさ５と、窓台７と、左右の柱９、９間で区画される開口部３に、室内側から挿入して固定しているので、室内側からの作業で且つ簡単にテラス窓の開口部を補強できる。また、天井の撤去やまぐさの加工等が不要なので、大掛りな工事にならないで済み、リフォームで開口部３の補強が容易にできる。
図１に示すように、袖枠部１９は左右の縦枠２１ａ、２１ｂ側に設けているので枠１７内の袖枠部１９を除く部分に空間を形成でき、この空間を出入り口や窓等として利用することができる。
図１、図３及び図５に示すように、各袖枠部１９の縦骨２７は、下端部２７ｂが下枠２５と窓台７及び補強材５７を介して土台１３に固定しているので、縦骨２７に発生する引抜力を土台１３に伝達することが可能である。
【００２１】
図５に示すように、縦骨２７の上端部２７ａを上枠２３に取付けている上縦骨取付ブラケット４５及び縦骨２７の下端部２７ｂを下枠２５に取付けている下縦骨取付ブラケット４７は、各々ボルト係合溝３５をスライドして位置調整自在であり、位置調整後にねじ３８で固定しているので、縦骨２７の位置調整がし易い。
図１及び図４に示すように、袖枠部１９を補強する補強材はブレース２９ａ〜２９ｄであり、各ブレース２９ａ〜２９ｄの端部を取り付けているブレース取付ブラケット３１ａ〜３１ｄは、ボルト係合溝３５をスライドして位置調整自在であり、図４（ｂ）に示すように、位置調整後にねじ３８で固定しているので、各ブレース２９ａ〜２９ｄの位置調整がし易い。
図２に示すように上枠２３にはまぐさ５の室内側面に仕上げ補助部２３ａを設けてあり、仕上げ補助部２３ａに化粧材２４を取り付けるだけでまぐさ５の室内側の仕上げが容易にできる。
開口部３の室外側に室外側障子パネル７１が単板ガラスの室外側テラス窓１４を設け、室内側に室内側障子パネル６９が複層ガラスの室内側テラス窓１０を設けて、地震や飛来物によって室外側テラス窓１４の単板ガラスが割れた場合でも割れたガラス片が室内側へ飛散するのを防止できる。
枠１７はその４つの角部分に補強した袖枠部１９を配置しているので、地震により枠１７が変形し難い。
【００２２】
図１に示すように、袖枠部１９は、菱形に配置したブレース２９ａ〜２９ｄで補強しているから、Ｘ状に形成した両筋交いの場合に比較して、中央部が大きく開口して良好な視界を確保できる。また、各ブレース２９ａ〜２９ｄを菱形に配置することで、ブレースの長さを短くできるから、座屈が起き難いので、枠１７の耐力が向上する。
上枠２３は、まぐさ５の長手方向全体に亘ってまぐさ５の下面に設けてあるので、まぐさ５にかかる長期の鉛直荷重に対してまぐさ５を補強し、まぐさ５の垂れを防止できる。
上枠２３は左右に設けた袖枠部１９を繋いでいるから、地震等による水平荷重に対して変形して曲がり易く、曲げ抵抗による破断や破損を低減できる。
縦枠２１ａ、２１ｂは窓台７とまぐさ５との間に設置してあるから、窓台７と梁１１との間に設置する場合に比較して、縦枠２１ａ、２１ｂの長さを短くでき、地震等による上下方向の荷重に対する圧縮耐力を高めることができる。
【００２３】
以下に本発明の他の実施の形態を説明するが、以下に説明する実施の形態において、上述した第１実施の形態と同一の作用効果を奏する部分には同一の符号を付することによりその部分の詳細な説明を省略し、以下の説明では第１実施の形態と主に異なる点を説明する。
図６〜図１０を参照して、本発明の第２実施の形態にかかる補強枠１について説明する。この第２実施の形態にかかる補強枠１は、欄間付き窓の開口部２を補強するものであって、枠１７と、垂れ枠部８１とを備えている。
図６に示すように、枠１７は、左右の縦枠２１ａ、２１ｂと上枠２３と下枠２５で四方を枠組みしてあり、まぐさ５と、窓台７と、左右の柱９、９間で区画される開口部２に、室内側から挿入して固定してある。各枠材２１ａ、２１ｂ、２３、２５は、上述した第１実施の形態と同様のものを用いているが、図７に示すように、下枠２５にはその上面にカバー８２が取付けてある。
垂れ枠部８１は、上枠２３と、上枠２３の下方に間隔をあけて且つ縦枠２１ａ、２１ｂ間に配置された横骨８３と、上枠２３の長手方向中間部で上枠２３と横骨８３との間に配置された縦骨８５とを備えている。
垂れ枠部８１は、縦骨８５の左右に各々菱形形状にブレース２９ａ〜２９ｄが配置されており、縦枠側下ブレース２９ｃと縦骨側下ブレース２９ｄの下側端部は、横骨８３の上面に取付けた下ブレース取付ブラケット３１ｂに取付けてある。
【００２４】
図７に示すように、横骨８３には、第１実施の形態にかかる下枠２５と同様に、ボルト係合溝３５が形成してあり、ボルト係合溝３５に頭を係合したボルト４１とナット４３で下ブレース取付ブラケット３１ｂが取付けてあり、位置調整後に、ねじ３８で横骨８３に固定されている。
図９に示すように、左縦枠２１ａと横骨８３は横骨取付ブラケット８９により接合してある。右縦枠２１ｂと横骨８３との接合は、左縦枠２１と横骨８３との接合と同じであるから、ここでは、左縦枠２１ａと横骨８３との接合について説明する。横骨取付ブラケット８９は、縦枠２１ａに形成してあるボルト係合溝３５に頭を係合したボルト４１と、ナット４３で縦枠２１ａに取付けてあり、上下方向の位置調整をした後にねじ３８で縦枠２１ａに固定してある。横骨８３の端部は、横骨取付けブラケット８９のリブ５１にねじ５３で固定してある。
第１実施の形態と同様に、縦骨８５の上端部は上枠２３に取付けている上縦骨取付ブラケット４５に固定してあり、図１０に示すように、縦骨８５の下端部２７ｂは横骨８３に取付けている下縦骨取付ブラケット４７に固定してある。上縦骨取付ブラケット４５と下縦骨取付ブラケット４７とは第１実施の形態と同様の構成であるが、縦骨８５には対向する両面にボルト係合溝３５が形成されているのに対応して、２つのリブ５１の突出寸法を略同じにしている点が第１実施の形態と異なっている。
図７に示すように、室外側テラス窓１４には、垂れ枠部８１に対応する位置に欄間窓８７が設けてある。また、横骨８３の下側の開口に対応する位置の室外側に室外側窓８６が設けてあり、垂れ枠部８１の下側開口から人が出入りできるようになっている。また、欄間付き窓の開口部２に補強枠１を施工後、補強枠１の室内側に断熱強化のための室内側窓１０を取付ける。
図８に示すように、この第２実施の形態では、縦骨８５の左右側面に各々２つのボルト係合溝３５が形成してあり、縦骨８５の左右にブレース取付ブラケット２９ｂがボルト４１とナット４３で取付けてあり、位置調整後にねじ３８で固定してある。
【００２５】
この第２実施の形態にかかる補強枠２によれば、図６に示すように、枠１７は、枠組みした状態で、まぐさ５と、窓台７と、左右の柱９、９間で区画される開口部２に、室内側から挿入して固定しているので、室内側からの作業で且つ簡単に欄間付き窓の開口部２を補強できる。また、天井の撤去やまぐさの加工等が不要なので、大掛りな工事にならないで済み、リフォームで開口部の補強ができる。
【００２６】
図６に示すように、垂れ枠部８１は欄間部分に対応して設けてあり、垂れ枠部８９の下側に空間を形成しているので、この空間を出入り口や窓等として利用することができ、第１実施の形態よりも出入り口の左右寸法を大きくとることができる。
図９に示すように、横骨８３の左右端部を縦枠２１ａ、２１ｂに取付けている各横骨取付ブラケット８９は各々縦枠２１ａ、２１ｂのボルト係合溝３５をスライドして位置調整自在であり、位置調整後にねじ３８で固定しているので、横骨８３の位置調整がし易い。
第１実施の形態と同様に、縦骨８５の上端部を上枠２３に取付けている上縦骨取付ブラケット４５及び図１０に示すように、縦骨２７の下端部２７ｂを横骨８３に取付けている下縦骨取付ブラケット４７はボルト係合溝３５をスライド自在なボルト４１とナット４３で取付けて位置調整自在であり、位置調整後にねじ３８で固定しているので、縦骨８５の位置調整がし易い。
図８に示すように、垂れ枠部８１を補強する補強材はブレース２９ａ〜２９ｄであり、各ブレース２９ａ〜２９ｄの端部を取り付けているブレース取付ブラケット３１ａ〜３１ｄは、ボルト係合溝３５をスライドして位置調整自在であり、位置調整後にねじ３８で固定しているので、各ブレース２９ａ〜２９ｄの位置調整がし易い。
図７に示すように、上枠２３にはまぐさの室内側に位置する仕上げ補助部２３ａを設けてあり、仕上げ補助部２３ａに化粧材２４を取り付けるだけで室内側の仕上げが容易にできる。
図７に示すように、欄間付き窓の開口部２は、室外側に室外側テラス窓１４の障子パネル７１を単板ガラスとし、室内側に室内側テラス窓１０の障子パネル６９を複層ガラスとしているので、地震や飛来物により室外側テラス窓１４及び欄間窓８７の単板ガラスが割れた場合でも割れたガラス片が室内側へ飛散するのを防止できる。
【００２７】
図６に示すように、垂れ枠部８１は、菱形に配置したブレース２９ａ〜２９ｄで補強しているから、Ｘ状に形成した両筋交いにした場合に比較して、中央部が大きく開口して良好な視界を確保できる。また、各ブレース２９ａ〜２９ｄを菱形に配置することで、ブレースの長さを短くできるから、座屈が起き難いことから、枠１７の変形を防止できる。
各ブレース２９ａ〜２９ｄの端部は対応するブレース取付ブラケット３１ａ〜３１ｄに開口部の見込み方向から止めるボルト３７とナット３９で接合してあるから、地震による振動を受けた場合に各ブレース２９ａ〜２９ｄの端部が回動して振動を吸収するから、ブレース端部の接合箇所の破損を防止できる。
【００２８】
次に、図１１を参照して、本発明の第３実施の形態について説明する。第３実施の形態は、第２実施の形態と同様に、補強枠１は欄間付き窓の開口部２を補強するものであり、第２実施の形態にかかる補強枠１において、枠１７には下枠２５がなく、枠１７は上枠２３と左右の縦枠２１ａ、２１ｂの三方で枠組みしている。
この第３実施の形態によれば、第２実施の形態と同様の作用効果を奏することができる。
【００２９】
本発明は、上述した実施の形態に限らず、本発明の要旨を逸脱しない範囲で種々変形可能である。
図１２に示すように、第１実施形態にかかるテラス窓の開口部３を補強する補強枠１は、室内側テラス窓１０や室外側テラス窓１４が３枚戸の引戸１２に対応する寸法の開口部に取付けるものであってもよい。この場合には、左右の袖枠部１９間の間隔が第１実施の形態よりも小さく、補強枠１における袖枠部１９が占める補強面積の比率を第１実施形態よりも大きくできるので、第１実施の形態よりも補強強度が高い。
また、第１実施形態にかかるテラス窓の開口部３が、図１３に示すように、２枚戸の引戸１２に対応する寸法の開口部としてあり、枠１７は袖枠部１９の面積を枠１７の片側半分の面積としても良い。更に、第１実施の形態において、袖枠部１９の補強材は、４つのブレースで菱形状に形成することに限らず、図１３に示すように、２本のブレース２９ｅ、２９ｆでＸ状に形成した両筋交いにものであっても良い。
更に、袖枠部１９及び垂れ枠部８１を補強する補強材は、片筋交いやパンチングパネルであっても良い。
図１４に示すように、第１実施の形態において、補強枠１の上枠２３に設ける仕上げ補助部２３ａは、中空形状に形成しても良い。この場合には、第１実施の形態にある化粧材２４を不要にできる。
【００３０】
ここで、枠１７の左右に袖枠部１９を備える補強枠１（第１実施の形態にかかる両袖タイプの補強枠）と、枠１７の上部に垂れ枠部８１を備える補強枠１（第２及び第３実施の形態にかかる欄間タイプの補強枠）について、それぞれの特徴や使い分けについて説明する。
両袖タイプの補強枠は、地震等による水平力を柱９から土台１３に伝えることができる縦枠２１ａ、２１ｂ及び縦骨２７、２７が合計４本であるが、欄間タイプの補強枠では縦枠２１ａ、２１ｂの２本なので、両袖タイプの補強枠の方が欄間タイプの補強枠よりも耐震強度に優れる。
両袖タイプの補強枠１では、袖枠部１９を図１や図１２に示すように左右に分けて配置した場合と、図１３に示すように左右どちらかに寄せる場合と、或いは左右中央部に配置した場合とで、耐震強度上の違いはないが、左右に分けて配置した場合の方が次の（ａ）（ｂ）の点で有利である。
（ａ）地震等による水平力は左右どちらの方向から加わるものか予測できないが、袖枠部１９を左右の両方に配置することで、左右のどちらから水平力が加わってもバランス良く補強できる。
（ｂ）袖枠部１９を左右の両方に配置した方が、そうでない場合に比較して、左右の袖枠部１９間の開口部を出入り口と利用したり障子の開閉部として利用できるので、使い勝手が良い。
また、欄間タイプの補強枠１では、地震等の水平力が加わった場合、その力は柱９を介してまぐさ５や垂れ枠部８１に伝わるが、梁１１と垂れ枠部８１との距離が近い場合には、水平力に対して効率的に抵抗させることができる。
欄間タイプの補強枠１では、垂れ枠部８１によりまぐさ５の左右方向中央部の垂れ防止効果が大きい。
垂れ枠部８１の下側は開口部になるので、開口部を出入り口や障子の開閉部として利用できるので、両袖タイプの補強枠に比較して使い勝手が良い。
以上の点から、両袖タイプの補強枠と欄間タイプの補強枠では、施主の住まい方を考慮して、開口部への出入りや障子の開閉部としての使い勝手を重視する場合には、欄間タイプの補強枠を選択してみて、家全体の耐震設計上、欄間タイプの補強枠で強度が不足する場合は、両袖タイプの補強枠を選択するなど、住まい方と耐震強度のバランスを見ながら使い分けることが望ましい。
【符号の説明】
【００３１】
１    補強枠
２    欄間付き窓の開口部
３    テラス窓の開口部
５    まぐさ
７    窓台
９    柱
１３  土台
１７  枠
１９  袖枠部
２１ａ、２１ｂ  縦枠
２３  上枠
２５  下枠
２７  縦骨
２９ａ〜２９ｄ  補強材
２７ｂ  下端部
８１  垂れ枠部
８３  横骨
８５  縦骨
【図１】
2015224523.tif 000003
【図２】
2015224523.tif 000004
【図３】
2015224523.tif 000005
【図４】
2015224523.tif 000006
【図５】
2015224523.tif 000007
【図６】
2015224523.tif 000008
【図７】
2015224523.tif 000009
【図８】
2015224523.tif 000010
【図９】
2015224523.tif 000011
【図１０】
2015224523.tif 000012
【図１１】
2015224523.tif 000013
【図１２】
2015224523.tif 000014
【図１３】
2015224523.tif 000015
【図１４】
2015224523.tif 000016